(57)【要約】【課題】不揮発性記憶媒体に要するコストを抑制しつつ、当該記憶媒体に障害発生の原因解明に必要なデータを効率良く収集する技術を提供する。【解決手段】通信を介して制御を受ける冷凍サイクルを有する空気調和機の運転状態に関する運転データを検出する運転データ検出部２０ａ，２０ｂ，２０ｃ，２０ｐ，２０ｑと、第１の時間間隔ごとの運転データを記憶する第１の記憶部３０と、空気調和機の運転異常を検出する異常検出部４０と、不揮発性記憶媒体が採用されて運転異常が圧力異常の場合には前記の時間間隔以上の第２の時間間隔ごとの運転データを記憶し、運転異常が通信異常の場合には第２の時間間隔よりも長い第３の時間間隔ごとの運転データを記憶する第２の記憶部５０とを備える。【選択図】図５
2012107800.tif 000002
【特許請求の範囲】
【請求項１】
通信を介して制御を受ける冷凍サイクルを有する機器（１０）の運転状態に関する運転データを検出する運転データ検出部（２０ａ，２０ｂ，…）と、
第１の時間間隔（ｔ１）ごとの前記運転データを記憶する第１の記憶部（３０）と、
前記機器の運転異常を検出する異常検出部（４０）と、
不揮発性記憶媒体が採用されて前記運転異常が圧力異常の場合には前記第１の時間間隔以上の第２の時間間隔（ｔ２）ごとの前記運転データを記憶し、前記運転異常が通信異常の場合には前記第２の時間間隔よりも長い第３の時間間隔（ｔ３）ごとの前記運転データを記憶する第２の記憶部（５０）と
を備える、
運転データ収集装置（１００）。
【請求項２】
前記運転データは、前記冷凍サイクルの圧力に関する第１の運転データと、前記制御に関する第２の運転データとを有し、
前記運転異常が前記圧力異常の場合には少なくとも前記第１の運転データを選択し、前記運転異常が前記通信異常の場合には少なくとも前記第２の運転データを選択する選択部（６０）を更に備え、
前記第２の記憶部（５０）は、前記第１又は第２の運転データのうち少なくとも前記選択部が選択したいずれか一方を記憶する、
請求項１記載の運転データ収集装置（１００）。
【請求項３】
前記冷凍サイクルは圧縮機（１２）を有し、
前記第１の運転データは、前記圧縮機が有する吐出管の温度（Ｔａ）、前記圧縮機の高圧側圧力（Ｐａ）、前記圧縮機の低圧側圧力（Ｐｂ）、前記圧縮機の駆動電流（Ｉａ）の少なくともいずれか１つを有し、
前記第２の運転データは、前記圧縮機の運転周波数（Ｆａ）を有する、
請求項２記載の運転データ収集装置（１００）。
【請求項４】
前記選択部（６０）は、
前記運転異常が前記圧力異常の場合には前記第１の記憶部（３０）に記憶されている前記運転データのうち少なくとも前記第２の時間間隔（ｔ２）ごとの前記第１の運転データを選択して出力し、
前記運転異常が前記通信異常の場合には前記第１の記憶部に記憶されている前記運転データのうち少なくとも前記第３の時間間隔（ｔ３）ごとの前記第２の運転データを選択して出力し、
前記第２の記憶部（６０）は前記選択部が出力する前記第１の運転データ及び前記選択部が出力する前記第２の運転データのうち少なくともいずれか一方を記憶する、
請求項２又は請求項３記載の運転データ収集装置（１００）。
【請求項５】
前記選択部（６０）は前記第１の時間間隔（ｔ１）ごとの前記運転データを選択して出力し、
前記第１の記憶部（３０）は前記選択部が選択する前記検出結果を記憶する、
請求項１ないし請求項４のいずれかに記載の運転データ収集装置（１００）。
【発明の詳細な説明】
【技術分野】
【０００１】
本発明は、データを収集する技術に関し、特に通信を介して制御を受ける冷凍サイクルを有する機器の運転データを収集する技術に関するものである。
【背景技術】
【０００２】
例えば、空気調和機が運転しているときの圧力や温度などの各種運転データをある一定の時間間隔ごとに保存しておき、故障等の障害が発生した場合には当該運転データの推移を検証することで、故障の発生要因を特定する技術が提案されている。障害解析に備えて運転データを保存する技術については、例えば下掲の特許文献１等に開示されている。
【先行技術文献】
【特許文献】
【０００３】
【特許文献１】特開２００８−００９８５４号公報
【発明の概要】
【発明が解決しようとする課題】
【０００４】
例えば、運転データを収集する対象が通信を介して制御を受ける空気調和機である場合には、当該空気調和機に発生する障害は、当該空気調和機が有する冷凍サイクルでの圧力異常に関する障害と、当該空気調和機を制御するための通信経路での通信異常に関する障害とに大別できる。そして、障害が発生した場合に、その障害が圧力異常に関するものであれば、その障害の発生要因を詳細に特定するには、障害発生に至るまでの比較的短い時間内の運転データを比較的短い時間間隔で解析することが望ましいことが多い。一方、発生した障害が通信異常に関するものであれば、障害発生に至るまでの比較的長い時間内の運転データを比較的長い時間間隔で解析することが望ましいことが多い。つまり、障害の種類によって、運転データを収集する期間及び運転データを収集する時間間隔を異ならせることが望ましいことがある。
【０００５】
運転データは例えば、ＥＥＰＲＯＭ等の不揮発性記憶媒体に格納されて、電力供給の遮断による運転データの消滅に備えている。しかしながら、このような不揮発性記憶媒体は一般に高価である。そのため、製造コスト抑制を優先すれば故障の発生要因特定に十分な運転データを保存できない。故障の発生要因特定に十分な運転データの保存を図れば製造コストが増大する。
【０００６】
本発明は、上記課題に鑑み、不揮発性記憶媒体に要するコストを抑制しつつ、当該記憶媒体に障害発生の原因解明に必要なデータを効率良く収集する技術を提供することを目的とする。
【課題を解決するための手段】
【０００７】
上記課題を解決すべく、本発明に係る運転データ収集装置の第１の態様は、通信を介して制御を受ける冷凍サイクルを有する機器（１０）の運転状態に関する運転データを検出する運転データ検出部（２０ａ，２０ｂ，…）と、第１の時間間隔（ｔ１）ごとの前記運転データを記憶する第１の記憶部（３０）と、前記機器の運転異常を検出する異常検出部（４０）と、不揮発性記憶媒体が採用されて前記運転異常が圧力異常の場合には前記第１の時間間隔以上の第２の時間間隔（ｔ２）ごとの前記運転データを記憶し、前記運転異常が通信異常の場合には前記第２の時間間隔よりも長い第３の時間間隔（ｔ３）ごとの前記運転データを記憶する第２の記憶部（５０）とを備える、運転データ収集装置（１００）である。
【０００８】
本発明に係る運転データ収集装置の第２の態様は、その第１の態様であって、前記運転データは、前記冷凍サイクルの圧力に関する第１の運転データと、前記制御に関する第２の運転データとを有し、前記運転異常が前記圧力異常の場合には少なくとも前記第１の運転データを選択し、前記運転異常が前記通信異常の場合には少なくとも前記第２の運転データを選択する選択部（６０）を更に備え、前記第２の記憶部（５０）は、前記第１又は第２の運転データのうち少なくとも前記選択部が選択したいずれか一方を記憶する。
【０００９】
本発明に係る運転データ収集装置の第３の態様は、その第２の態様であって、前記冷凍サイクルは圧縮機（１２）を有し、前記第１の運転データは、前記圧縮機が有する吐出管の温度（Ｔａ）、前記圧縮機の高圧側圧力（Ｐａ）、前記圧縮機の低圧側圧力（Ｐｂ）、前記圧縮機の駆動電流（Ｉａ）の少なくともいずれか１つを有し、前記第２の運転データは、前記圧縮機の運転周波数（Ｆａ）を有する。
【００１０】
本発明に係る運転データ収集装置の第４の態様は、その第２又は第３の態様であって、前記選択部（６０）は、前記運転異常が前記圧力異常の場合には前記第１の記憶部（３０）に記憶されている前記運転データのうち少なくとも前記第２の時間間隔（ｔ２）ごとの前記第１の運転データを選択して出力し、前記運転異常が前記通信異常の場合には前記第１の記憶部に記憶されている前記運転データのうち少なくとも前記第３の時間間隔（ｔ３）ごとの前記第２の運転データを選択して出力し、前記第２の記憶部（６０）は前記選択部が出力する前記第１の運転データ及び前記選択部が出力する前記第２の運転データのうち少なくともいずれか一方を記憶する。
【００１１】
本発明に係る運転データ収集装置の第５の態様は、その第１ないし第４の態様のいずれかであって、前記選択部（６０）は前記第１の時間間隔（ｔ１）ごとの前記運転データを選択して出力し、前記第１の記憶部（３０）は前記選択部が選択する前記検出結果を記憶する。
【発明の効果】
【００１２】
圧力異常の原因解明に必要なデータは比較的短期間に変動し、通信異常の原因解明に必要なデータは比較的長期間に変動する。したがって、本発明に係る運転データ収集装置の第１の態様によれば、運転異常の種類に応じて運転データの種類や時間間隔を異ならせて記憶するので、運転異常の原因解明に必要なデータを効率良く収集できる。よって、運転異常の種類によらずすべてのデータを常に収集しておく場合に比べて必要なメモリ量を低減できる。また、一般に不揮発性記憶媒体は高価であるため、運転データのすべてを不揮発性記憶媒体に記憶させる場合にはコストが増大するが、運転異常の種類に応じて記憶する運転データの時間間隔を異ならせているので、コストの増大を抑制しつつ、運転異常の原因解明に資する。
【００１３】
本発明に係る運転データ収集装置の第２の態様によれば、運転異常の原因解明に資する。
【００１４】
本発明に係る運転データ収集装置の第３の態様によれば、圧力異常が発生した場合の原因解明及び、通信異常が発生した場合の原因解明に資する。
【００１５】
本発明に係る運転データ収集装置の第４の態様によれば、第２の記憶部は単に格納機能で足り、第２の時間間隔／第３の時間間隔を考慮する必要がない。
【００１６】
本発明に係る運転データ収集装置の第５の態様によれば、第１の記憶部は単に格納機能で足り、第１の時間間隔を考慮する必要がない。
【図面の簡単な説明】
【００１７】
【図１】本発明の実施形態に係る運転データ収集装置が搭載される空気調和システムを例示する概略図である。
【図２】空気調和機の配管系統を例示する図である。
【図３】圧縮機の電気系統を例示する図である。
【図４】ファンの電気系統を例示する図である。
【図５】運転データ収集装置の概略構成を説明する概念図である。
【図６】第２の記憶部に運転データを保存することを説明する概念図である。
【図７】運転データ収集装置の動作を示すフローチャートである。
【図８】空気調和システムの変形例である。
【図９】空気調和機を例示する図である。
【図１０】表示部の表示態様を例示する図である。
【発明を実施するための形態】
【００１８】
以下、本発明の好適な実施形態について、図面を参照しながら説明する。なお、図１を初めとする以下の図には、本発明に関係する要素のみを示す。
【００１９】
〈構成〉
図１に示すように運転データ収集装置１００は例えば、空気調和システム１を構成する複数の空気調和機１０のそれぞれに設けられている。空気調和システム１は例えば、空気調和機１０の複数（図１では２つ）と、それらへの運転指令を操作者から受け付ける操作装置３と、操作装置３に入力された運転指令を受け付けて空気調和機１０のそれぞれを制御する制御装置５とを備えている。
【００２０】
一の空気調和機１０は、図２に示すような配管系統及び図３，４に示すような電気系統を備える。具体的には、一の空気調和機１０は、圧縮機１２を含む室外機１４と、室内ファン１６を含む室内機１８とを有する。
【００２１】
室外機１４は、圧縮機１２のほかにアキュムレータ１１、熱交換器１３及び、レシーバ１５を備えている。圧縮機１２はアキュムレータ１１を介して供給されるガス熱媒を圧縮する。アキュムレータ１１は、室内機１８から圧縮機１２へと供給される熱媒から液熱媒を分離したガス熱媒を圧縮機１２へと供給する。これにより、圧縮機１２が液熱媒を圧縮することを防止し、圧縮機１２を保護する。圧縮された熱媒は熱交換器１３で所望の温度に変換されてレシーバ１５へと供給される。レシーバ１５はレシーバ１５に供給された熱媒から油分を離脱させて室内機１８へと供給する。これにより、配管内にオイルが溜まることを防止する。レシーバ１５で分離された油分はアキュムレータ１１へと戻される。室内機１８に供給された熱媒は蒸発器１９を介して室外機１４へと戻る。そして、蒸発器１９に対して室内ファン１６が風を送ることによって、所望の温度の空気を室内へと供給する。
【００２２】
圧縮機１２の電気系統は図３に示すように、商用電源３１、インバータ回路３２及び、圧縮機用モータ３３を有する。なお、図示は省略するが電源３１はインバータ回路３２に給電するのみならず、インバータ回路３２の手前でノイズが除去されて四方弁１７（図２参照）にも給電する。四方弁１７は、熱媒が通る４つの流出入口を有し、切替え操作によってこれら流出入口の組合せを切替える流路切替えバルブである。
【００２３】
インバータ回路３２は商用電源３１を用いて負荷である圧縮機用モータ３３を制御する。商用電源３１からの交流電流は、ノイズが除去された後にダイオードブリッジが採用されたコンバータ部３４に入力されて整流され、直流電流に変換される。当該直流電流の脈動は平滑コンデンサ３５で低減される。平滑コンデンサ３５の両端電圧がインバータ部３６に印加される。インバータ部３６は例えば、ＩＧＢＴ等の半導体スイッチング素子によって所望の三相交流を生成し、圧縮機用モータ３３を駆動する。
【００２４】
室内ファン１６の電気系統は図４に示すように、商用電源３１、インバータ回路４２及び、ファンモータ４３を有する。インバータ回路４２は商用電源３１を用いて負荷であるファンモータ４３を制御する。インバータ回路４２も上述のインバータ回路３２と同様に、コンバータ部４４、平滑コンデンサ４５及び、インバータ部４６を含み、所望の三相交流を生成するものであるから説明を省略する。
【００２５】
このような空気調和機１０に対して、運転データ収集装置１００は図５に示すように例えば、複数の運転データ検出部２０ａ，２０ｂ，２０ｃ，…，２０ｐ，２０ｑと、第１及び第２の記憶部３０，５０と、異常検出部４０と、選択部６０とを備えている。
【００２６】
複数の運転データ検出部２０ａ，２０ｂ，２０ｃ，…，２０ｐ，２０ｑは空気調和機の運転状態に関する運転データをそれぞれ検出する。ここで、便宜的に第１の運転データ検出部２０ａ、第２の運転データ検出部２０ｂ、…とすると、第１の運転データ検出部２０ａは、圧縮機１２で圧縮された熱媒の圧力（以下、「高圧圧力」と称する）Ｐａを逐次検出する。第２の運転データ検出部２０ｂは、圧縮機１２で圧縮された熱媒の温度（以下、「吐出管温度」と称する）Ｔａを逐次検出する。第３の運転データ検出部２０ｃは、圧縮機用モータ３３に流れる電流（以下、「圧縮機電流」と称する）Ｉａを平滑コンデンサ３５とインバータ部３６との間で逐次検出する。第４の運転データ検出部２０ｐは、圧縮機電流Ｉａの周波数（以下、「圧縮機周波数」と称する）Ｆａをインバータ部３６で逐次検出する。第５の運転データ検出部２０ｑは、ファンモータ４３に流れる電流の周波数（以下、「室内ファン周波数」と称する）を逐次検出する。
【００２７】
第１の記憶部３０は例えばＲＡＭ等の揮発性記憶媒体が採用されて、第１の時間間隔ｔ１（例えば１秒）ごとの上記第１ないし第５の運転データ検出部２０ａ，２０ｂ，２０ｃ，２０ｐ，２０ｑで逐次検出された運転データのうち、最新の１０分間の運転データを記憶する。なお、本実施形態では、第１ないし第５の運転データ検出部２０ａ，２０ｂ，２０ｃ，２０ｐ，２０ｑがそれぞれ運転データを逐次検出し、第１の記憶部３０が第１の時間間隔ｔ１ごとの運転データを記憶するが、第１ないし第５の運転データ検出部２０ａ，２０ｂ，２０ｃ，２０ｐ，２０ｑが第１の時間間隔ｔ１ごとにそれぞれ運転データを検出し、それらの運転データを第１の記憶部３０が逐次記憶するようにしても良い。
【００２８】
異常検出部４０は空気調和機１０の運転異常を検出する。具体的には例えば、第１ないし第５の運転データ検出部２０ａ，２０ｂ，２０ｃ，２０ｐ，２０ｑが検出するそれぞれの運転データを、各運転データに対応する予め定められた値のそれぞれと比較し、空気調和機１０の運転異常を検出する。より具体的には例えば、異常検出部４０は、第１の運転データ検出部２０ａが検出する高圧圧力Ｐａの正常値範囲（異常値となる閾値）を記憶しており、第１の運転データ検出部２０ａが検出する高圧圧力Ｐａが当該正常値範囲内にあるか否かを逐次判断する。そして異常検出部４０は、高圧圧力Ｐａが当該正常値範囲から逸脱した場合には、空気調和機１０に運転異常が生じたと判断する。
【００２９】
ここで、第１ないし第３の運転データ検出部２０ａ，２０ｂ，２０ｃが検出した運転データ（高圧圧力Ｐａ、吐出管温度Ｔａ、圧縮機電流Ｉａ）の少なくともいずれか一つが、各運転データに対応する正常値範囲から逸脱した場合には、空気調和機１０に生じた運転異常は、冷凍サイクルの圧力に異常（以下、「圧力異常」又は「高圧異常」と称する）が生じたと判断する。また、第４及び第５の運転データ検出部２０ｐ，２０ｑが検出した運転データ（圧縮機周波数Ｆａ、室内ファン周波数Ｆｂ）の少なくともいずれか一つが、各運転データに対応する正常値範囲から逸脱した場合には、空気調和機１０に生じた運転異常は、例えば制御装置５と空気調和機１０との間の通信系統に異常（以下、「通信異常」と称する）が生じたと判断する。
【００３０】
選択部６０は、空気調和機１０に生じた運転異常が圧力異常の場合には少なくとも高圧圧力Ｐａ、吐出管温度Ｔａ及び圧縮機電流Ｉａ（本発明の課題を解決するための手段における「第１の運転データ」に相当する）を第１の記憶部３０に記憶された運転データから選択し、当該選択の結果を第２の記憶部５０に送出する。また選択部６０は、空気調和機１０に生じた運転異常が通信異常の場合には少なくとも圧縮機周波数Ｆａ及び室内ファン周波数Ｆｂ（本発明の課題を解決するための手段における「第２の運転データ」に相当する）を第１の記憶部３０に記憶された運転データから選択し、当該選択の結果を第２の記憶部５０に送出する。
【００３１】
第２の記憶部５０はＥＥＰＲＯＭ等の不揮発性記憶媒体が採用されて、第１の記憶部３０に記憶されている運転データから、選択部６０によって選択されたものを記憶する。具体的には図６に示すように、異常検出部４０が運転異常を圧力異常と判断した場合には、第１の時間間隔ｔ１以上の第２の時間間隔ｔ２（例えば１秒）ごとの少なくとも第１の運転データを記憶する。また、異常検出部４０が運転異常を通信異常と判断した場合には、第２の時間間隔ｔ２よりも長い第３の時間間隔ｔ３（例えば１分）ごとの少なくとも第２の運転データを記憶する。
【００３２】
なお、選択部６０は、空気調和機１０に生じた運転異常が圧力異常の場合には第１の記憶部３０に記憶されている運転データのうち少なくとも第２の時間間隔ｔ２ごとの第１の運転データを選択して出力するようにしても良い。また、選択部６０は、空気調和機１０に生じた運転異常が通信異常の場合には第１の記憶部３０に記憶されている運転データのうち少なくとも第３の時間間隔ｔ３ごとの第２の運転データを選択して出力するようにしても良い。このようにすれば、第２の記憶部５０は単に格納機能を有するだけで足り、第２の記憶部５０には第２の時間間隔ｔ２又は第３の時間間隔ｔ３を考慮する機能を付帯させる必要がない。
【００３３】
また、選択部６０は、第１の時間間隔ｔ１ごとの運転データを選択して第１の記憶部３０へ出力するようにしても良い。このようにすれば、第１の記憶部３０は単に格納機能を有するだけで足り、第１の記憶部３０には運転データを出力するタイミングとして第１の時間間隔ｔ１を考慮する機能を付帯させる必要がない。
【００３４】
空気調和機１０に高圧異常が生じる場合には、比較的短期間（本実施形態では図６に示すように１０秒間）における第１の運転データで変動を認識できる。一方で空気調和機１０に通信異常が生じた場合に、第２の運転データの変動を認識するには比較的長期間（本実施形態では図６に示すように１０分間）にわたる第２の運転データが必要となる。つまり、高圧異常の発生要因を詳細に特定するためには、高圧異常が発生する１０秒前からの第１の運転データが分かっていることが望ましい。また、通信異常の発生要因を詳細に特定するためには、通信異常が発生する１０分前からの第２の運転データが分かっていることが望ましい。換言すれば、高圧異常の発生要因を詳細に特定するためには第２の運転データは必ずしも必要ないし、通信異常の発生要因を詳細に特定するためには第１の運転データは必ずしも必要ない。そして、上述のように、第１の運転データの変動を認識するために要する期間は、第２の運転データの変動を認識するために要する期間よりも短い。このことから、第１の運転データは比較的短い時間間隔（例えば１秒間隔）のデータとして、第２の運転データは比較的長い時間間隔（例えば１分間隔）のデータとして、それぞれ記憶されることが望ましい。
【００３５】
したがって、運転異常の種類に応じて第１の記憶部３０から第２の記憶部５０へと記憶させる運転データの種類を、第１及び第２の運転データのいずれか一方に、減ずることにより、第２の記憶部５０に必要な容量を低減でき、製造コストの抑制に資する。また、運転異常の種類に応じて第１の記憶部３０から第２の記憶部５０へと記憶させる運転データの時間間隔を、第１の時間間隔ｔ１から第２の時間間隔ｔ２（≧ｔ１）か又は第３の時間間隔ｔ３（＞ｔ２≧ｔ１）に、延ばすことにより、第２の記憶部５０に必要な容量を低減でき、製造コストの抑制に資する。
【００３６】
なお、本実施形態のように、第１の運転データは３種類の運転データがあり、第２の運転データは２種類の運転データがある場合、圧力異常が生じた場合には３種類の運転データが選択されるのに対して、通信異常が生じた場合には２種類の運転データが選択される。つまり、運転異常の種類に応じて、選択される運転データの種類の数が異なる。第２の記憶部５０は、それぞれの運転異常が生じた場合に求められる容量のうち、最大の容量を有していることが必要である。本実施例に則していえば、３種類のデータのそれぞれを１秒間間隔で１０秒間分だけ記憶する容量は必要である。
【００３７】
また、例えば通信異常が生じた場合であっても、必要に応じて適宜に圧縮機電流Ｉａ等、第１の運転データを第２の記憶部５０に記憶させるようにしても良い。また、そのときの第１の運転データの時間間隔は第１ないし第３の時間間隔ｔ１，ｔ２，ｔ３のいずれであっても良い。
【００３８】
また、図１，２では空気調和機１０の構成の把握を容易にするために運転データ収集装置１００が備える構成要素のうち、第１の記憶部３０のみを室外機１４内に破線で示し、異常検出部４０、第２の記憶部５０及び選択部６０の図示を省略しているが、いずれの構成要素も室外機１４又は室内機１８のいずれに設けられていても良い。また、室外機１４又は室内機１８のいずれとも別体に設けられていても良い。
【００３９】
なお、本実施形態では第１ないし第５の運転データ検出部２０ａ，２０ｂ，２０ｃ，２０ｐ，２０ｑのみを例示しているが、必ずしもこれらに限定する必要がないのは勿論である。例えば、熱媒の流路上でレシーバ１５の前後に設けられる第１及び第２の電子膨張弁ＥＶ１，ＥＶ２の開度Ｑａ，Ｑｂを検出して第１の記憶部３０に記憶させておき、圧力異常が生じた場合にはこれら第１及び第２の電子膨張弁ＥＶ１，ＥＶ２の開度Ｑａ，Ｑｂを第２の記憶部５０へと記憶させるようにしても良い。
【００４０】
〈動作〉
以上のような構成を備えた運転データ収集装置１００は図７に示すフローチャートのような動作を行う。なお、本フローチャートでは、運転データ収集装置１００が運転データを収集するための動作のみを示し、その他の処理動作については図示及び説明を省略する。
【００４１】
空気調和機１０が運転を開始すると、第１ないし第５の運転データ検出２０ａ，２０ｂ，２０ｃ，２０ｐ，２０ｑのそれぞれが運転データを検出する（ステップＳ１０１）。そして、第１の時間間隔ｔ１ごとの運転データのすべてを第１の記憶部（図７のＲＡＭ）３０に格納する（ステップＳ１０２）。このステップＳ１０１，Ｓ１０２の動作を異常検出部４０が異常を検出するまで反復して実行する（つまり、ステップＳ１０３においてＮを選択し続ける）。異常検出部４０が異常を検出するとステップＳ１０３においてＹを選択し、発生した異常が圧力異常か否かを判断する（ステップＳ１０４）。
【００４２】
発生した異常が圧力異常の場合にはステップＳ１０４においてＹを選択して、第２の時間間隔ｔ２ごとの第１の運転データをＲＡＭからＥＥＰＲＯＭに格納（ステップＳ１０５）して動作を終了する。また、発生した異常が圧力異常でなければ（ステップＳ１０４においてＮを選択して）発生した異常を通信異常と判断（ステップＳ１０６）して、第３の時間間隔ｔ３ごとの第２の運転データをＲＡＭからＥＥＰＲＯＭに格納（ステップＳ１０７）して動作を終了する。
【００４３】
〈変形例〉
以上、本発明の好適な実施形態について説明したが、本発明はこれに限定されるものではない。例えば、上記実施形態においては空気調和機１０が室外機１４と、室内機１８とを別体に備える態様について説明したが、図８に示すように、圧縮機１２と室内ファン１６とを一体に有する空気調和機１０Ａであっても良い。なお、図８では、空気調和機１０Ａを複数備える空気調和システム１Ａを示している。
【００４４】
また、上記実施形態においては空気調和機１０のそれぞれに運転データ収集装置１００を設ける態様について説明したが、図９に示すように、例えば、複数の空気調和機１０を制御する制御装置５Ａに運転データ収集装置１００を設け、一の運転データ収集装置１００が複数の空気調和機１０の運転データを収集するようにしても良い。その場合には、第１ないし第５の運転データ検出部２０ａ，２０ｂ，２０ｃ，２０ｐ，２０ｑ（図５参照）は、制御装置５Ａが制御する空気調和機１０の台数分だけ採用し、空気調和機１０のそれぞれに取付けることが必要だが、第１及び第２の記憶部３０，５０（図５参照）は必ずしも空気調和機１０の台数分は必要ない。また、第１及び第２の記憶部３０，５０の記憶容量は適宜に大きくすることが望ましい。
【００４５】
運転異常が発生した場合には、例えば図１に示す操作装置３が有する表示部９１において、発生した運転異常の種類（圧力異常なのか又は通信異常なのか）に対応するコード番号（以下、「異常コード」と称する）を示すことで、運転異常に対して迅速な対応を助ける技術が実用化されている。また、各異常コードに対して例えば異常発生原因（又は異常発生箇所）を特定できるような詳細なコード番号（以下、「詳細コード」と称する）を、異常コードと同時に表示部９１に表示することで、運転異常に対してより迅速な対応を助ける技術が提案されている。
【００４６】
例えば表示部９１がＬＣＤを採用している場合には、詳細コードを異常コードと同時に表示するには２つの表示パターン（例えば７セグメントディスプレイ）を有していることが望ましいが、既存の機器に対しては表示パターンを変更する必要があるなど、容易ではない。また、運転異常の発生時には設定温度や時刻を表示する必要がないので、これらを表示するための表示パターンに詳細コードを表示することができるが、異常コードを表示するための表示パターンの位置と離隔していること、表示パターンの大きさが異なることから、操作者が混乱するおそれがある。
【００４７】
そこで、図１０に示すように、異常コードを表示するための表示パターン９２上において、異常コードと詳細コードとを一定時間ごとに交互に表示する。なお、図１０では、表示部９１が表示する設定温度や時刻の表示等は図示を省略している。また、ここでは一の運転データ収集装置１００が複数の空気調和機１０の運転データを収集する態様を例にとり、表示パターン９２の上段において運転異常が発生した空気調和機１０の番号「ＵＮＩＴ  ＮＯ．１」を表示し、その下段にて異常コードと詳細コードとを表示している。具体的には、図１０の上段にある表示パターン９２の下段に表示されている「ＧＲＯＵＰ  Ａ６」が圧力異常に対応する異常コードを示し、図１０の下段にて表示されている「ＧＲＯＵＰ  ０１」が詳細コードを示している。
【００４８】
このように、詳細コードを表示することにより、運転異常について詳細な情報を得ることができるので、運転異常に対する迅速な対応に資する。また、異常コードと詳細コードとを一の表示パターン９２において一定時間ごとに交互に表示すれば、表示パターン９２の変更等、ハードウェアの変更が不要であり、既存の表示部９１に対しても適用できる。また、図１０に示すように例えば、異常コードをアルファベットと数字とで表し、詳細コードを数字のみで表せば、異常コードと詳細コードとを混同することを回避できる。
【符号の説明】
【００４９】
Ｆａ  圧縮機の運転周波数
Ｉａ  圧縮機の駆動電流
Ｐａ  圧縮機の高圧側圧力
Ｐｂ  圧縮機の低圧側圧力
Ｔａ  吐出管の温度
ｔ１，ｔ２，ｔ３  時間間隔
１０，１０Ａ  空気調和機（機器）
１２  圧縮機
２０ａ，２０ｂ，２０ｃ，２０ｐ，２０ｑ  運転データ検出部
３０  第１の記憶部
４０  異常検出部
５０  第２の記憶部
６０  選択部
１００  運転データ収集装置
【図１】
2012107800.tif 000003
【図２】
2012107800.tif 000004
【図３】
2012107800.tif 000005
【図４】
2012107800.tif 000006
【図５】
2012107800.tif 000007
【図６】
2012107800.tif 000008
【図７】
2012107800.tif 000009
【図８】
2012107800.tif 000010
【図９】
2012107800.tif 000011
【図１０】
2012107800.tif 000012